(57)【要約】【課題】  従来技術のフィールド反転方式の交流化反転においては、交流化反転の先頭フィールドにおいて、トランジスタのチャージ不足のため直前フィールドの影響が残り、液晶の透過率に悪影響が出るという欠点があった。またフレーム反転方式の交流化反転においては先頭にくる色（先頭色と呼ぶ）のみに前記悪影響が出るため、カラーバランスが取りにくいという課題があった。【解決手段】  交流化反転を特定色が先頭に来ない複数フィールド、例えば２フィールドおきに行うようにコモン波形２を構成することにより、透過率４aの影響を各色に分散し平均化するようにした。【選択図】  図１
2006220721.tif 000002
【特許請求の範囲】
【請求項１】
フィールドシーケンシャル方式の液晶装置において、複数フィールド毎に交流化反転を行うとともに、交流化反転が特定色の表示期間で行われないことを特徴とするOLE_LINK1フィールドシーケンシャルカラー液晶装置OLE_LINK1。
【発明の詳細な説明】
【技術分野】
【０００１】
本発明は、携帯型テレビ、携帯型情報端末、等に用いられる表示装置、特に高画質表示に適したフィールドシーケンシャルカラー液晶表示装置に関するものである。
【背景技術】
【０００２】
フィールドシーケンシャルカラー液晶表示装置は、画素にカラーフィルタを設けずに、１画素で３色の画像を順次表示する方式であり、従来の駆動方式の液晶に比べて、高透過率、高解像度化が図れる等の利点を有する。１画素で３色の画像を順に表示するという原理上、３倍速い表示パネルの応答速度が必要となる。しかし、通常のＴＮ液晶では十分な応答速度が得られなかった。そこで、各フィールドへ画像に関係なく特定の電圧を印加して応答速度を改善する方法が知られていた（例えば、特許文献１を参照）。
【０００３】
あるいは、液晶の応答が中間調から中間調えの移動時にもっとも応答が遅いことに注目し、フィールド単位での交流化反転（液晶を駆動する場合、極性が一定である直流を印加し続けると、液晶物質の劣化などの悪影響をもたらす。これを防ぐために、所定のタイミングで印加電圧の極性を反転して得た交流による駆動を行う。これを交流化反転駆動という）をおこない、各フィールドへ画像に関係なく特定の電圧を印加して一旦リセット状態にし、次の階調へ早く移行させ、応答速度を改善する方法が知られていた。この従来技術のフィールドシーケンシャルカラー液晶装置における、ノーマリホワイトタイプのＬＣＤパネルにおいて白画像を表示させている状態のタイミングチャートを図２に示す。図において１はＧＲＢの各フィールド、２はコモン波形、３はソース波形、４ａ・４ｂはＬＣＤパネルの透過率、５は液晶に印加される電圧の実行値であるＶＬＣＤ、６はＧのＬＥＤの点灯期間を示す。通常のノーマリホワイト液晶で白画像を表示する場合は、ＲＧＢすべての色でソース波形３とコモン波形２を同電位とし、ＶＬＣＤ５がゼロとなるよう交流化反転を行うが、この従来技術のフィールドシーケンシャルカラー液晶装置では、各フィールドの先頭で特定電位7が必ず加わるよう波形が形成されている。これにより前フィールドの電位が一旦リセットされ、応答速度が改善される。
【特許文献１】特開２００３−１５８６９５号公報
【発明の開示】
【発明が解決しようとする課題】
【０００４】
図２で示した3技術のフィールド反転方式の交流化反転法では、交流化反転の先頭フィールドにおいてＴＦＴのトランジスタがチャージ不足となるため、直前フィールドの影響が残ることとなり、通常のＴＮ液晶を高速応答させるための画像に関係のない特定電位の印加がうまく働かず、意図した高速応答が得られないという課題があった。また、図３で示したフレーム反転方式の交流化反転法では、先頭の表示色（先頭色と呼ぶ）のみに交流反転による影響が出るため、カラーバランスが取りにくいという課題があった。
【課題を解決するための手段】
【０００５】
そこで、本発明の表示装置は、交流化反転が特定の表示色のフィールドのみで起きないように、交流化反転のタイミングを設定した。例えば、３色の画像を一つの画素で順次表示する場合に、２フィールドおきに行うようにコモン波形を構成することにより、透過率の影響を各色に分散し平均化するようにした。
【発明の効果】
【０００６】
本発明のフィールドシーケンシャルカラー液晶装置は交流化反転の先頭に特定色がこない複数フィールドで交流化反転することにより、透過率の悪影響を低減し、またフレーム反転方式に見られる先頭色の悪影響を平均化でき、併せて液晶の高速応答も同時に実現できるという効果がある。
【発明を実施するための最良の形態】
【０００７】
本発明のフィールドシーケンシャルカラー液晶装置では、交流化反転を２フィールドおきに行うコモン信号を用いた。例えば、ＲＧＢ順の発光パターンとすると、ＲＧ、ＢＲ、ＧＢ、ＲＧ・・・というようにすべての色が先頭にくるようパターンが形成される。このような構成により、交流化反転時の悪影響をフィールド反転方式の１／２に軽減できる。また、フレーム反転方式にみられる先頭色の悪影響がすべての色に分散させることとなるので、特定色のみに影響が出ることがなく平均化される。さらに、本発明によれば、物理的な構造を変えることなく、交流化反転周期のみを変更するという安価な手段により、前述の効果が得られる。
【０００８】
以下、本発明の実施例を、２フィールドおきに交流化反転を行う場合において図面に基づき詳細に説明する。
【実施例】
【０００９】
本実施例のフィールドシーケンシャルカラー液晶装置のタイミングチャートを図１に示す。本実施例は２フィールドおきに交流化反転する駆動を用いている。図示するように、コモン波形２は２フィールドごとに反転し、交流化反転を実現している。交流化反転の先頭色１（Ｇ）では、ソース波形３に画像に関係の無い特定の電位７を印加しているにもかかわらず、交流化反転の影響でゲートチャージ不足が発生し、透過率４aが次のフィールドの透過率４ｂに比べ下がりきらない。このため先頭色が他の色に比べ強く出てしまう。ただし、次の交流化反転においては先頭色がＢとなり、その次はＲ、という具合に順次入れ替わっていく。このような構成によれば先頭色の影響はすべての色に分散し、平均化され、カラーバランスのくずれを防ぐ。
【００１０】
本発明のフィールドシーケンシャルカラー液晶装置では、特定色のフィールドで交流化反転していないので、フィールド反転の悪影響が特定色に表れることを防ぐことが可能になる。
【産業上の利用可能性】
【００１１】
フィールドシーケンシャルカラー液晶装置において、従来の物理的構造を変えることなく、特定色が先頭に来ない２、４、５、・・・等の複数フィールドで交流化反転するという安価な方法により、先頭色の影響を分散・平均化しなおかつ通常のＴＮ液晶を使用しても高速応答が可能となり、高画質のカラー画像を表示できる。
【図面の簡単な説明】
【００１２】
【図１】本発明のフィールドシーケンシャルカラー液晶装置の駆動を示すタイミングチャート図である。
【図２】従来のフィールド反転方式を示すタイミングチャート図である。
【図３】従来のフレーム反転方式を示すタイミングチャート図である。
【符号の説明】
【００１３】
１  先頭色
２  コモン波形
３  ソース波形
４a 透過率
４b 透過率
５  液晶に印加される電圧の実行値であるＶＬＣＤ
６  ＬＥＤの点灯期間
７  特定電位
【図１】
2006220721.tif 000003
【図２】
2006220721.tif 000004
【図３】
2006220721.tif 000005